【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
ネットワークアナライザに接続するための測定システムであって、
測定器具であって、
ある長さを有する可撓性のある細長いストラップ基材と、
実質的に前記ストラップ基材の長さに沿って延在する可撓性のあるアンテナアレイであって、前記アンテナアレイが、前記ストラップ基材の表面に固定されているか、または前記ストラップ基材内に埋め込まれているかのどちらかであることによって、前記ストラップ基材の圧縮または伸長により、前記アンテナアレイの圧縮または伸長が引き起こされる、アンテナアレイと、を含む、測定器具を備え、前記アンテナアレイが、
少なくとも１つの列内に配置された複数の相互接続されたパッチアンテナであって、前記複数のパッチアンテナが、前記少なくとも１つの列と平行に延在する給電線に電気的に接続されており、前記給電線は、前記ネットワークアナライザが、入力信号を使って前記アンテナアレイを励振し、共振周波数を含む前記入力信号に対する前記アンテナアレイの応答に関する電気的パラメータを測定することができるように、前記ネットワークアナライザに合致するインピーダンスで終端するように構成されており、前記アンテナアレイは、前記アンテナアレイが前記アンテナアレイの基準長さに対応する基準電気パラメータを有し、測定された前記電気的パラメータが、前記基準長さに対する使用中の前記アンテナアレイの物理的な長さの変化の関数として前記基準電気パラメータに対して変化するように構成されている、パッチアンテナ、を含む、システム。
【請求項２】
診断コンピューティングシステムであって、
非一時的コンピュータ可読記憶媒体と、
前記測定器具および前記非一時的コンピュータ可読記憶媒体と電子通信するプロセッサと、
前記非一時的コンピュータ可読記憶媒体に格納された実行可能な命令を含む１つ以上のソフトウェアモジュールであって、前記１つ以上のソフトウェアモジュールが、前記プロセッサによって実行可能であり、かつ
前記アンテナアレイに接続された前記ネットワークアナライザを使用して、前記入力信号を生成して前記アンテナアレイを励振するように、前記プロセッサを構成する励振モジュールと、
前記ネットワークアナライザを使用して、前記入力信号に対する前記アンテナアレイの応答に関する前記共振周波数を含む前記電気的パラメータを測定し、測定された前記電気的パラメータを前記非一時的コンピュータ可読記憶媒体内に記録するように、前記プロセッサを構成するパラメータ測定モジュールと、
測定された前記電気的パラメータに基づいて、前記非一時的コンピュータ可読記憶媒体に格納された前記アンテナアレイに関する基準電気的パラメータに対する前記共振周波数を含む前記電気的パラメータの変化を計算するように、前記プロセッサを構成するパラメータ分析モジュールであって、前記アンテナアレイに関する前記基準電気的パラメータが、前記アンテナアレイおよび前記ストラップ基材の基準長さに対応する、パラメータ分析モジュールと、
計算された前記電気的パラメータの変化、および前記基準長さに基づいて、前記アンテナアレイおよび前記ストラップ基材の現在の長さを計算するように、前記プロセッサを構成する寸法分析モジュールと、を含む、１つ以上のソフトウェアモジュールと、を含む、診断コンピューティングシステムをさらに備える、請求項１に記載のシステム。
【請求項３】
前記アンテナアレイが、前記可撓性のあるストラップ基材上に堆積された１つ以上の導電層および１つ以上の誘電材料層によって画定されている、請求項１に記載のシステム。
【請求項４】
前記可撓性のあるアンテナアレイおよびストラップ基材アセンブリを備える前記測定器具が、構造物の外側表面に沿って延在および固定されるように構成され、かつ前記表面の膨張または収縮によって、前記ストラップ基材およびアンテナアレイの長さの、対応する様式での膨張または収縮が引き起こされるように、前記構造物の外側表面に適合するように構成されている、請求項１に記載のシステム。
【請求項５】
前記アンテナアレイが、前記アンテナアレイの既知の基準長さＬに対応する既知の基準共振周波数ｆを有するように、設計されている、請求項１に記載のシステム。
【請求項６】
各パッチが、同一にサイズ設計され、かつ基材波長の半分（λｓ／２）である共振長Ａを有しており、前記複数のパッチアンテナが、前記基材波長の四分の一（λｓ／４）である長さＣを有するそれぞれの整合部によって、前記給電線に電気的に接続されている、請求項５に記載のシステム。
【請求項７】
所与の列内の前記複数のパッチアンテナが、前記列の長さに沿って、等間隔に離間されている、請求項１に記載のシステム。
【請求項８】
前記アンテナアレイが、パッチアンテナの複数の列を含んでおり、所与の列を画定する前記パッチアンテナが、共通の給電線によって相互接続されており、それぞれの列の前記給電線が、相互接続されている、請求項１に記載のシステム。
【請求項９】
複数の測定器具であって、各測定器具は、それぞれの高さにおいて貯蔵コンテナの側壁の周りの円周方向に所与の測定器具を延在させることによって、前記所与の測定器具の長さが、前記それぞれの高さにおいて前記貯蔵コンテナの円周に対応するように、円筒形の貯蔵コンテナの外壁上に配備されるように構成されている、複数の測定器具、をさらに備え、
前記寸法分析モジュールが、前記複数の測定器具間のそれぞれの測定器具の前記アンテナアレイに対して計算された前記現在の長さに基づいて、前記貯蔵コンテナの容積を計算するための前記プロセッサをさらに構成する、請求項２に記載のシステム。
【請求項１０】
ネットワークアナライザを使用して貯蔵コンテナの容積を測定するためのシステムであって、前記システムが、
円筒形の貯蔵庫の外壁上に配備されるように構成された複数の測定器具であって、前記複数の測定器具の中の所与の測定器具が、前記外壁上のそれぞれの高さにおいて前記貯蔵コンテナの円周方向側壁の周りに円周方向に延在されていることによって、前記所与の測定器具の長さが、前記それぞれの高さにおいて前記貯蔵コンテナの円周に対応し、前記所与の測定器具が、
ある長さを有する可撓性のある細長いストラップ基材と、
実質的に前記ストラップ基材の長さに沿って延在する可撓性のあるアンテナアレイであって、前記アンテナアレイが、前記ストラップ基材の表面に固定されているか、または前記ストラップ基材内に埋め込まれているかのどちらかであることによって、前記ストラップ基材の圧縮または伸長により、前記アンテナアレイの圧縮または伸長が引き起こされる、アンテナアレイと、を含み、前記アンテナアレイが、
少なくとも１つの列内に配置された複数の相互接続されたパッチアンテナであって、前記複数のパッチアンテナが、前記少なくとも１つの列と平行に延在する給電線に電気的に接続されており、前記給電線は、前記ネットワークアナライザが、入力信号を使って前記アンテナアレイを励振し、共振周波数を含む前記入力信号に対する前記アンテナアレイの応答に関する電気的パラメータを測定することができるように、前記ネットワークアナライザに合致するインピーダンスで終端するように構成されており、前記アンテナアレイが備える複数の複数の相互接続されたパッチアンテナは、前記アンテナアレイが前記アンテナアレイの基準長さに対応する基準電気パラメータを有し、測定された前記電気的パラメータが、前記基準長さに対する使用中の前記アンテナアレイの物理的な長さの変化の関数として前記基準電気パラメータに対して変化するように構成されている、パッチアンテナを含む、複数の測定器具と、
診断コンピューティングシステムであって、
非一時的コンピュータ可読記憶媒体と、
前記所与の測定器具、および前記非一時的コンピュータ可読記憶媒体と電子通信するプロセッサと、
前記非一時的コンピュータ可読記憶媒体に格納された実行可能な命令を含む１つ以上のソフトウェアモジュールであって、前記１つ以上のソフトウェアモジュールが、前記プロセッサにより実行可能であり、かつ、
前記アンテナアレイに接続された前記ネットワークアナライザを使用して、前記入力信号を生成して前記アンテナアレイを励振するように、前記プロセッサを構成する励振モジュールと、
前記ネットワークアナライザを使用して、前記入力信号に対する前記アンテナアレイの応答に関する前記電気的パラメータを測定し、測定された前記電気的パラメータを前記非一時的コンピュータ可読記憶媒体内に記録するように、前記プロセッサを構成するパラメータ測定モジュールと、
測定された前記電気的パラメータに基づいて、前記非一時的コンピュータ可読記憶媒体に格納された前記アンテナアレイに関する基準電気的パラメータに対する前記電気的パラメータの変化を計算するように、前記プロセッサを構成するパラメータ分析モジュールであって、前記アンテナアレイに関する前記基準電気的パラメータが、前記アンテナアレイおよび前記ストラップ基材の基準長さに対応する、パラメータ分析モジュールと、
計算された前記電気的パラメータの変化、および前記基準長さに基づいて、前記アンテナアレイおよび前記ストラップ基材の現在の長さを計算するように、前記プロセッサを構成する寸法分析モジュールであって、前記寸法分析モジュールが、前記複数の測定器具の各々の計算された前記アンテナアレイの長さに基づいて、前記貯蔵コンテナの容積を計算するように、前記プロセッサをさらに構成する、寸法分析モジュールと、を含む、１つ以上のソフトウェアモジュールと、を含む、診断コンピューティングシステムと、を備える、システム。
【請求項１１】
測定器具を使用して対象物を測定する方法であって、前記方法は、
測定器具を設けることであって、前記測定器具が
ある長さを有する可撓性のある細長いストラップ基材と、
実質的に前記ストラップ基材の長さに沿って延在する可撓性のあるアンテナアレイであって、前記アンテナアレイが、前記ストラップ基材の表面に固定されるか、または前記ストラップ基材内に埋め込まれるかのどちらかであることによって、前記ストラップ基材の圧縮または伸長により、前記アンテナアレイの圧縮または伸長を引き起こす、アンテナアレイと、を備え、前記アンテナアレイが、
少なくとも１つの列内に配置された複数の相互接続されたパッチアンテナであって、前記複数のパッチアンテナが、前記少なくとも１つの列と平行に延在する給電線に電気的に接続されており、前記給電線がネットワークアナライザに接続されるように構成されている、パッチアンテナ、を含み、
前記パッチアンテナが、前記アンテナアレイおよび前記ストラップ基材の基準長さに対応する基準共振周波数を有するアンテナアレイを提供するように配置されており、前記アンテナアレイは、前記アンテナアレイの共振周波数が、前記基準長さに対する前記アンテナアレイの長さの変化の関数として前記基準共振周波数に対して変化するように構成されている、測定器具を設けることと、
前記測定器具の長さを較正することであって、
前記アンテナアレイに接続されたネットワークアナライザを用いて、前記アンテナアレイを励振する入力信号を生成するステップと、
前記ネットワークアナライザを用いて、前記入力信号に応答して、前記アンテナアレイの共振周波数を測定するステップと、
診断コンピューティングシステムを用いて、前記基準共振周波数に対する測定された前記共振周波数に基づいて、前記共振周波数の変化を計算するステップであって、前記基準共振周波数、ならびに前記アンテナアレイおよびストラップ基材の対応する基準長さが、前記診断コンピューティングシステムにアクセス可能であるデータベース内に格納されている、計算するステップと、
前記診断コンピューティングシステムを用いて、測定された共振周波数の変化、ならびに前記アンテナアレイおよび前記ストラップ基材の基準長さに基づいて、前記アンテナアレイおよび前記ストラップ基材の現在の長さを判定するステップと、を含む、較正することと、を含む、方法。
【請求項１２】
円筒形の貯蔵コンテナの外壁上に前記測定器具を配備することであって、前記測定器具が、それぞれの高さにおいて前記貯蔵コンテナの円周壁の周りに円周方向に延在されていることによって、前記測定器具の長さが、前記それぞれの高さにおいて前記貯蔵コンテナの円周に対応する、配備することと、
前記診断コンピューティングシステムを用いて、前記アンテナアレイおよびストラップ基材の計算された現在の長さに基づいて、前記貯蔵コンテナの容積を計算することと、をさらに含む、請求項１１に記載の方法。
【請求項１３】
前記較正するステップが、前記円筒形の貯蔵コンテナ上に前記測定器具を配備する以前および最中のうちの１つ以上において実行され、
測定された前記共振周波数、および初期較正動作中に計算された前記現在の長さに応じて、前記データベース内に格納された前記基準共振周波数および基準長さを更新することと、
前記較正するステップ、および前記貯蔵コンテナの容積を計算する前記ステップを定期的に繰り返すことと、をさらに含む、請求項１２に記載の方法。
【請求項１４】
前記アンテナアレイが、苛酷な環境から保護するために保護材料内にカプセル化されている、請求項１に記載のシステム。
【請求項１５】
前記アンテナアレイが、苛酷な環境から保護するために保護材料内にカプセル化されている、請求項１０に記載のシステム。
【請求項１６】
前記アンテナアレイが、苛酷な環境から保護するために保護材料内にカプセル化されている、請求項１１に記載の方法。